(57)【要約】      （修正有）【課題】金属製の網を土台とした七宝を提供する。【解決手段】金属製の網６にシリンジに入った金属粘土（金、銀、銅等）５を使用して下絵を描き、電気炉で焼成して金属にした輪郭の中に、七宝絵具を施し電気炉で焼成する。この場合、胎を使用しない代わりに、網６の下に耐熱素材やファイバーペーパー２を敷き、これを胎の代わりとし、網６に七宝のガラス質７が付くので剥がれ落ちることはない。また網６を使用しているので作品が軽くできる。網６は金属製なので、自由に切ったり折り曲げたりすることができ、立体等を作ることが容易である。【選択図】図１
2011117060.tif 000002
【特許請求の範囲】
「金属製の網」に七宝を施す方法
【発明の詳細な説明】
【技術分野】  この発明は、「金属製の網」に「七宝」を施す技法である。
【背景技術】  七宝は金属やセラミックスに施すことができるが、土台になる基板は結構重く、それを「金属製の網」にすれば重さも軽くなり、切ったり折り曲げたり出来、今までは立体を作るのは大変だったが、かなり楽に作ることが出来る。
【発明の開示】
【発明が解決しようとする課題】「金属」や「セラミックス」の表面に「七宝」を施すのではなく、「金属製の網」に七宝を施すものである。
【発明を解決するための手段】
「金属製の網」の表面に「金属粘土（金、銀、銅等）」を使用して「シリンジ」に入った金属粘土で下絵を描き、その輪郭の中に七宝絵具を施せば網の目に七宝絵具が入り込み、電気炉で焼成すると、「胎」を使用していない七宝作品を作ることが出来ます。また、網は金属製なので、切ったり折り曲げたりすることもできるので、立体などを作る時もとても楽に作ることができます。
【発明を実施するための技法】
以下、本発明を実施するための技法を説明する。
「金属製の網（網の目の形はどのような形でもよい）」の表面に「シリンジ」に入った「金属粘土（金、銀、銅等）」で下絵を描き、乾燥後、電気炉で「金属粘土」の焼成温度で焼成して金属にする。下絵を描く時は、「網」の目にこだわらず自由に描くことが出来ます。「網」の目に「金属粘土」が接していなくても支障はありません。シリンジで描いた輪郭の中に七宝絵具を施し電気炉で焼成する。このとき、七宝絵具が均一に網に付くように網の下に耐熱素材かファイバーペーパーを敷いておきます。「金属製の網」は七宝と金属粘土の焼成温度に耐えられる金属に限ります。  例えば  、ステンレス、金、銀、銅、真鍮等、およびそれらの合金。  例えばステンレスの場合は焼成すると酸化被膜がつき黒く変色しますが、この場合、銀粘土で下絵を描いた場合、銀の白さと七宝の鮮やかさと黒く変色した網目とがとてもよい感じの作品になります。
この技法は「胎」を使用していないので網の裏側に七宝がつくので、アクセサリーなどにする場合いは、裏側にもう一枚網を重ねて、周りを金属粘土で縁取るときれいになり、網の角で傷つくこともありません。また、透明の七宝絵具を使用した場合、「網」の目が透けることがあるのでその場合は絵具を少し厚めにすると目立たなくすることが出来ます。
また、「網」は容易に切ったり折り曲げたり出来るので、立体物を作る際にもとても楽に作ることができます。箱の場合は展開図のとおりに網を切り、平面状態のときに七宝を施し焼成し、その後立体にします。「網」と「網」の繋ぎ目は金属粘土を使用してもよいし、別の素材を使ってもよい。また曲げやすいので、ドーム型や円筒形等にするのも簡単です。その場合は先に網をドーム型や円筒形に曲げておいてから、下絵を描きドーム型や円筒形の下に耐熱素材やファイバーペーパーなどを置いて、七宝絵具を施します。
リングやバングルなどをつくるときは、網を作りたい大きさに丸めて同じように下絵を描き制作しますが、これらの場合は裏側にも七宝絵の具を施すときれいに見えます。
また、「網」全体に七宝絵具を施すことも出来るので、土台の「金属製の網」を表に出したくない場合は「網」全体を七宝で覆うことも出来ます。
「金属粘土」を焼成した場合の収縮の度合いは、粘土の素材によっても変わりますが、「網」が伸びる余地があるので障害にはなりません。
2011117060.tif 000003
【手続補正書】
【提出日】平成22年2月3日(2010.2.3)
【手続補正１】
【補正対象書類名】明細書
【補正対象項目名】全文
【補正方法】変更
【補正の内容】
【発明の詳細な説明】
【技術分野】
【０００１】  本発明は、「金属製の網」に「七宝」を施す技法である。
七宝は金属やセラミックスに施すことが出来るが、土台になる基板は結構重く、それを「金属製の網」にすれば重さも軽くなり、「網」は切ったり折り曲げたり出来るので、今までは立体を作ることは大変だったが、かなり楽に作る事が出来ます。
【発明の開示】
【０００２】「金属製の網」の表面に「金属粘土」を使用して、「シリンジ」に入った「金属粘土」で下絵を描き、その「輪郭」の中に「七宝絵具」を施せば網の目に七宝絵具が入り込み、電気炉で焼成すると、「胎」を使用していない七宝作品を作ることができます。また、網は金属製なので、切ったり折り曲げたりすることも出来るので、立体などを作る時もとても楽に作ることができます。
【発明の実施に必要なもの】
【０００３】  「金属製の網」と「金属粘土のシリンジタイプ」と「七宝絵具」を用意します。「網」は「七宝」の焼成温度と「金属粘土」の焼成温度に耐えられる金属に限ります。例えば、ステンレス、金、銀、銅、真鍮等、またはそれらの合金で出来ているもの。網目の形はどのようなものでも構いません。「金属粘土」は「金、銀、銅等」を使用します。
【ステンレス製の網、シリンジタイプの銀粘土、七宝絵具を使用した実施例】
【０００４】「紙」に作りたい作品の下絵を描きます。下絵は「網」の目を通してよくわかるように、なるべく「目立つ色」で描きます。「下絵」を「網」の下に敷き、「シリンジ」で「網」に下絵を写しとります。「網」に下絵を描く時は、「網目」にこだわらず自由に描いてかまいません。「網目」が大きいときは「網目」の一部分にしか「金属粘土」が接していなくても、電気炉で焼成するので「粘土」状態から金属になるので支障はありません。
【０００５】  下絵の全てが写し取れたら、乾燥し、「網」を電気炉に入れて、「金属粘土」の焼成温度で焼成して「粘土」を「金属」の状態にします。「網」の切った部分はほつれやすいこともあるので、「シリンジ」でほつれやすそうな部分を止めてから焼成するとよい。
【０００６】「ステンレス製の網」は焼成すると酸化被膜がつき黒く変色しますが、これがかえって作品におもしろい影響を与えることになります。「網」の一部分に七宝を施さないときは、「網」の黒く変色した部分が残り、七宝の鮮かさと銀の白さと、黒く変色した網目がとても良い感じの作品になります。また、網全体に七宝を施すこともできます。「金属粘土」を焼成した場合の収縮の度合いは、粘土の素材によっても変わりますが「網」が伸びる余地があるので障害にはなりません。
【七宝絵具の施し方】
【０００７】「金属になった銀粘土」の「輪郭」の中に七宝絵具を施します。
網を使用しているので、七宝絵具が網目の下に出てしまうので、七宝が均一に網に付くように、「網」の下に耐熱素材かファイバーペーパーを敷いて、七宝絵具の焼成温度により焼成します。
【０００８】一度の焼成では七宝が網目を覆いきれない場合がありますが、なるべく七宝を厚めにするとよいです。  もし、七宝の量が少なすぎて網目が覆われない場合は、何度か七宝を施します。また、透明の七宝絵具を使用した場合、「網目」が透けることがありますが、その場合は絵具を少し厚めにすると目立たなくなります。
【０００９】  この技法は「胎」を使用していないので「網」の裏側に七宝が付くためアクセサリーなどにする場合は、裏側にもう一枚「網」を重ねて周りを金属粘土（実施例の場合は銀粘土を使用）で縁取ると見た目もきれいになり、網の角で傷つくこともありません。
【網の重ね方】
【００１０】網を２枚重ねる時は、２枚とも同じに重ねるのではなく一枚は角度を変えて重ねると作品に奥行き感が出ます。重ねるときは、ホチキスなどで網を仮止めしておくと、仕上げの縁取りをするときに都合がよいです。
【縁取りの方法】
【００１１】縁取りは、実施例の場合「銀粘土」をつかいます。ひも状にしたり、平に延ばしても良いですし、網をきれいに縁取りして、乾燥させて電気炉で焼成します。
【網の利便性】
【００１２】「網」は容易に切ったり折り曲げたり出来るので、立体物を作る際にもとても楽に作ることができますし、軽く仕上げることができます。
【箱の作り方の例】
【００１３】「箱」の場合は展開図のとおりに網を切り、平面状態のときにシリンジで下絵を描き、金属粘土を焼成して金属にしてから、七宝を施し焼成し、その後立体にします。または、先に立体を作ってから、シリンジで下絵を描いて焼成してもよい。網と網の継ぎ目は金属粘土を使用してもよいし、別の素材（網と同じ素材等）を使って形を整えて七宝を施してもよい。また、箱の角などの継ぎ目は立体にしてから七宝を施したほうがよいです。立体にしたときは箱型の内側に耐熱素材やファイバーペーパーを入れて形を整えます。内側に入れる耐熱素材の形がきちんとしていないと七宝のガラス質が網目から流れ出てしまいます。
【ドーム型や円筒形の作り方の例】
【００１４】網は曲げやすいので、ドーム型や円筒形等にするのも簡単です。展開図のとおりに網を切り、先に網をドーム型や円筒形に曲げておいてから、内側にファイバーペーパーや耐熱素材を入れて形を整え、「シリンジ」で下絵を描き、箱を作る時と同じように形を整えて、七宝絵具を施します。
【リングやバングルの作り方の例】
【００１５】リングやバングルなどを作る時は、網を作りたい大きさに丸めて、下絵を描き、内側に耐熱素材やファイバーペーパーを入れて制作しますが、これらの場合は裏側にも七宝絵具を施すときれいに見えます。
【図面の簡単な説明】
【図１】本発明の［０００７］の断面図である  ▲１▼金属製の「網」の断面  ▲２▼グラスファイバーや断熱素材の断面  ▲３▼金属粘土の輪郭  ▲４▼七宝
【図２】本発明の、［０００４］の「網目」の一部分にしか「金属粘土」が接していない場合の説明図である  ▲１▼金属製の網  ▲２▼金属粘土で描いた輪郭線
【手続補正２】
【補正対象書類名】図面
【補正対象項目名】全図
【補正方法】変更
【補正の内容】
【図１】
2011117060.tif 000004
【図２】
2011117060.tif 000005